【手続補正書】
【提出日】平成26年12月15日(2014.12.15)
【手続補正１】
【補正対象書類名】特許請求の範囲
【補正対象項目名】全文
【補正方法】変更
【補正の内容】
【特許請求の範囲】
【請求項１】
音声／映像番組の表現を生成するステップと、
前記音声／映像番組において第１の時間を示す第１の入力信号を受信するステップと、
前記音声／映像番組において第２の時間を示す第２の入力信号を受信するステップと、
前記第１の時間、前記第２の時間、および前記音声／映像番組の識別を示す情報を備えるデータパケットを送信するステップと、
を備えた方法。
【請求項２】
前記音声／映像番組の前記識別は、メタデータを備えた、請求項１に記載の方法。
【請求項３】
前記音声／映像番組において第３の時間を示す第３の入力信号を受信するステップと、
前記音声／映像番組において第４の時間を示す第４の入力信号を受信するステップと、
をさらに備え、
前記データパケットは、前記第３の時間および前記第４の時間を示す情報をさらに備える、請求項１に記載の方法。
【請求項４】
前記第１の入力信号および前記第２の入力信号は、タッチスクリーン上の２つのポイントの表示に応答して生成される、請求項１に記載の方法。
【請求項５】
前記第１の入力の受信に応答して映像セグメントに関する情報を生成するステップと、
前記情報を備える映像信号を生成するステップと、
をさらに備えた、請求項１に記載の方法。
【請求項６】
前記データパケットをサードパーティに送信して、前記サードパーティが前記データパケットに応答して使用統計を生成できるようにするステップをさらに備えた、請求項１に記載の方法。
【請求項７】
前記データパケットをサードパーティに送信して、前記サードパーティが前記データパケットに応答してコンテンツのアクセス制限を変更できるようにするステップをさらに備えた、請求項１に記載の方法。
【請求項８】
音声／映像番組のソースと、
前記音声／映像番組において第１の時間ポイントを示す第１の制御信号と前記音声／映像番組において第２の時間ポイントを示す第２の制御信号とを受信するための入力と、
前記第１の時間ポイント、前記第２の時間ポイント、および前記音声／映像番組を示すデータを備えたデータパケットを生成するためのプロセッサと、
前記データパケットを送信機に結合するための出力と、
を備えた装置。
【請求項９】
前記音声／映像番組を示す前記データは、メタデータを備えた、請求項８に記載の装置。
【請求項１０】
前記入力は、前記音声／映像番組において第３の時間を示す第３の制御信号を受信し、および前記音声／映像番組において第４の時間を示す第４の制御信号を受信するようにさらに動作し、前記データパケットは、前記第３の時間および前記第４の時間を示すデータをさらに備えた、請求項８に記載の装置。
【請求項１１】
前記第１の制御信号および前記第２の制御信号は、タッチスクリーン上の２つのポイントの表示に応答して生成される、請求項８に記載の装置。
【請求項１２】
前記第１の入力に応答して映像セグメントに関する情報を備える映像信号を生成するための表示出力をさらに備えた、請求項８に記載の装置。
【請求項１３】
前記出力は、サードパーティによって受信されるために第２のデータパケットを前記送信機に結合するようにさらに動作し、前記サードパーティが前記データパケットに応答して使用統計を生成できるようにする、請求項８に記載の装置。
【請求項１４】
前記出力は、サードパーティによって受信されるために第２のデータパケットを前記送信機に結合するようにさらに動作し、前記サードパーティが前記データパケットに応答してコンテンツのアクセス制限を変更できるようにする、請求項８に記載の装置。
【請求項１５】
開始時間、停止時間、および音声／映像番組の指示を示すデータを受信するステップと、
前記音声／映像番組の表現を検索するステップと、
前記開始時間と前記停止時間とで境界がつけられた前記音声／映像番組部分を備えた音声／映像ストリームを生成するステップと、
を備えた映像データを表示する方法。
【請求項１６】
前記検索するステップは、前記データを音声／映像番組のメタデータと比較することをさらに備えた、請求項１５に記載の方法。
【請求項１７】
前記検索するステップは、前記データをデータベースと比較することをさらに備えた、請求項１５に記載の方法。
【請求項１８】
前記検索するステップは、ネットワーク経由で前記音声／映像番組をダウンロードすることをさらに備えた、請求項１５に記載の方法。
【請求項１９】
購入の申し出を備えるオンスクリーン表示を生成するステップをさらに備えた、請求項１５に記載の方法。
【請求項２０】
前記音声／映像番組において第１の時間を示す第１の入力信号を受信するステップと、
前記音声／映像番組において第２の時間を示す第２の入力信号を受信するステップと、
前記開始時間、前記停止時間、前記第１の時間、前記第２の時間、および前記音声／映像番組の識別を示す情報を備えたデータパケットを送信するステップと、
をさらに備えた、請求項１５に記載の方法。
【手続補正２】
【補正対象書類名】明細書
【補正対象項目名】００１８
【補正方法】変更
【補正の内容】
【００１８】
図１の例において、システム１００は、バックエンドサーバ１１８および使用データベース１２０も含む。バックエンドサーバ１１８は、ユーザの使用傾向を分析し、そしてその使用傾向に基づいて提案を行うパーソナライズエンジンを含む。使用データベース１２０は、ユーザの使用傾向が格納される場所である。いくつかの場合、使用データベース１２０は、バックエンドサーバ１１８の一部とすることができる。本例において、バックエンドサーバ１１８（ならびに使用データベース１２０）は、システム１００に接続されていて、配信ネットワーク２（１１２）を介してアクセスされる。
【手続補正３】
【補正対象書類名】明細書
【補正対象項目名】００４６
【補正方法】変更
【補正の内容】
【００４６】
本開示の技術が組み込まれた実施形態を本明細書に詳しく説明したが、当業者は、この技術をさらに組み込む他の多くの異なる実施形態を容易に考案することができる。主スクリーンと二次的スクリーンとの間でコンテンツを渡すための方法およびシステムの好適実施形態（実例にすることを意図とし、これらに限定されない）を説明したが、変更および変形形態は、上記の技術に照らして当業者によって行われ得ることに留意されたい。
［付記１］
音声／映像番組の表現を生成するステップと、
前記音声／映像番組において第１の時間を示す第１の入力信号を受信するステップと、
前記音声／映像番組において第２の時間を示す第２の入力信号を受信するステップと、
前記第１の時間、前記第２の時間、および前記音声／映像番組の識別を示す情報を備えるデータパケットを送信するステップと、
を備えた方法。
［付記２］
前記音声／映像番組の前記識別は、メタデータを備えた、付記１に記載の方法。
［付記３］
前記音声／映像番組において第３の時間を示す第３の入力信号を受信するステップと、
前記音声／映像番組において第４の時間を示す第４の入力信号を受信するステップと、
をさらに備え、
前記データパケットは、前記第３の時間および前記第４の時間を示す情報をさらに備える、付記１に記載の方法。
［付記４］
前記第１の入力信号および前記第２の入力信号は、タッチスクリーン上の２つのポイントの表示に応答して生成される、付記１に記載の方法。
［付記５］
前記第１の入力の受信に応答して映像セグメントに関する情報を生成するステップと、
前記情報を備える映像信号を生成するステップと、
をさらに備えた、付記１に記載の方法。
［付記６］
前記データパケットをサードパーティに送信して、前記サードパーティが前記データパケットに応答して使用統計を生成できるようにするステップをさらに備えた、付記１に記載の方法。
［付記７］
前記データパケットをサードパーティに送信して、前記サードパーティが前記データパケットに応答してコンテンツのアクセス制限を変更できるようにするステップをさらに備えた、付記１に記載の方法。
［付記８］
音声／映像番組のソースと、
前記音声／映像番組において第１の時間ポイントを示す第１の制御信号と前記音声／映像番組において第２の時間ポイントを示す第２の制御信号とを受信するための入力と、
前記第１の時間ポイント、前記第２の時間ポイント、および前記音声／映像番組を示すデータを備えたデータパケットを生成するためのプロセッサと、
前記データパケットを送信機に結合するための出力と、
を備えた装置。
［付記９］
前記音声／映像番組を示す前記データは、メタデータを備えた、付記８に記載の装置。
［付記１０］
前記入力は、前記音声／映像番組において第３の時間を示す第３の制御信号を受信し、および前記音声／映像番組において第４の時間を示す第４の制御信号を受信するようにさらに動作し、前記データパケットは、前記第３の時間および前記第４の時間を示すデータをさらに備えた、付記８に記載の装置。
［付記１１］
前記第１の制御信号および前記第２の制御信号は、タッチスクリーン上の２つのポイントの表示に応答して生成される、付記８に記載の装置。
［付記１２］
前記第１の入力に応答して映像セグメントに関する情報を備える映像信号を生成するための表示出力をさらに備えた、付記８に記載の装置。
［付記１３］
前記出力は、サードパーティによって受信されるために第２のデータパケットを前記送信機に結合するようにさらに動作し、前記サードパーティが前記データパケットに応答して使用統計を生成できるようにする、付記８に記載の装置。
［付記１４］
前記出力は、サードパーティによって受信されるために第２のデータパケットを前記送信機に結合するようにさらに動作し、前記サードパーティが前記データパケットに応答してコンテンツのアクセス制限を変更できるようにする、付記８に記載の装置。
［付記１５］
開始時間、停止時間、および音声／映像番組の指示を示すデータを受信するステップと、
前記音声／映像番組の表現を検索するステップと、
前記開始時間と前記停止時間とで境界がつけられた前記音声／映像番組部分を備えた音声／映像ストリームを生成するステップと、
を備えた映像データを表示する方法。
［付記１６］
前記検索するステップは、前記データを音声／映像番組のメタデータと比較することをさらに備えた、付記１５に記載の方法。
［付記１７］
前記検索するステップは、前記データをデータベースと比較することをさらに備えた、付記１５に記載の方法。
［付記１８］
前記検索するステップは、ネットワーク経由で前記音声／映像番組をダウンロードすることをさらに備えた、付記１５に記載の方法。
［付記１９］
購入の申し出を備えるオンスクリーン表示を生成するステップをさらに備えた、付記１５に記載の方法。
［付記２０］
前記音声／映像番組において第１の時間を示す第１の入力信号を受信するステップと、
前記音声／映像番組において第２の時間を示す第２の入力信号を受信するステップと、
前記開始時間、前記停止時間、前記第１の時間、前記第２の時間、および前記音声／映像番組の識別を示す情報を備えたデータパケットを送信するステップと、
をさらに備えた、付記１５に記載の方法。